(57)【特許請求の範囲】
【請求項１】
モルタル又はコンクリート製の外枠(1a)と、該外枠(1a)の背面に連結ボルト(1c)を介して固定された支持フレイム(1b)とから構成され、前記外枠(1a)の外表面が岩肌形状等の意匠を施した景観型枠(1)を形成し、この景観型枠(1)を所定の角度で立設させて、該景観型枠(1)の外枠(1a)から延びる連結ボルト(1c)の先端を建込みフレーム(2)の取り付け穴(2d)に挿通させてその露出端をナット部材(2e)で締結することにより、前記景観型枠(1)の背面を上下方向に延びる長尺の建込みフレーム(2)で連結保持し、前記ナット部材(2e)の先端側のネジ孔に支持レバー(3)のボルト(3d)を螺入して連結し、建込みフレーム(2)を支持レバー(3)でグランド面に保持させることにより景観型枠(1)を所定の角度で安定保持させ、この景観型枠(1)によって囲撓されたコンクリート施工空間(A)にコンクリートを流し込んだ後、先に立設させた景観型枠(1)の上部に次段の景観型枠(1)を継ぎ足して建込みフレーム(2)並びに支持レバー(3)で保持させ、前記同様に継ぎ足された景観型枠(1)によって囲撓されたコンクリート施工空間(A)にコンクリートを流し込むことにより景観型枠(1)…と一体的にコンクリートを打設し、順次上部にむかって積層的に施工することを特徴とする景観擁護壁造成方法。
【請求項２】
前記建込みフレーム(2)が、所定のコンクリート施工空間(A)よりも上端部分を突出させて配置され、該上端部に連結用のボルト孔(2c)が設けられている請求項１に記載の景観擁護壁造成方法。
【請求項３】
前記支持レバー(3)がその長さを調整できるように形成され、基端部に固定用のアンカー(3e)が設けられている請求項１又は２に記載の景観擁護壁造成方法。
【発明の詳細な説明】
【０００１】
【発明が属する技術分野】
本発明は河川の堤防や仕切堰、造成地の段壁等をコンクリートで構築する際の擁護壁造成方法に関するもので、殊に表面に岩肌形状等の意匠をもつ景観型枠を用いた景観養護壁の造成方法に関するものである。
【０００２】
【従来の技術】
一般に、河川の堤防や仕切堰はコンクリートを流し込んで形成されている。このような構造物を構築する際、構造物の表面となる部分に適当な高さにわたってコンクリート型枠（一般には金属で作られたメタルフォーム又は木製の型枠が広く使用されている）を組み付けて背部から金属型材等で作られた支持レバーで保持させると共に表面側では縦横の外部バタ材を組み付けて保持させ、コンクリートを流し込んで硬化した後、外部バタ材を解体してコンクリート型枠をコンクリート面から取り外している。
【０００３】
【発明が解決しようとする課題】
このような従来手段では、コンクリート施工後に外部バタ材を解体してコンクリート型枠をコンクリート面から取り外す作業が大変煩雑で面倒である。またコンクリート型枠を剥離したあと、コンクリート型枠の剥離跡や継ぎ目跡等の模様が残存して見苦しいため、場合によってはこれを除去するための表面仕上げ作業を必要とすると共に、コンクリート型枠を背面から支持させた金属製の支持レバーの先端部分がコンクリート表面に露出しているため、露出部分を切断除去してその先端をキャップやモルタルで覆い隠す等の煩雑な後処理を必要とした。
【０００４】
そこで本発明は、表面に岩肌形状等の意匠を持つ景観型枠を使用してコンクリート施工後に景観型枠をそのまま擁護壁の表面材として残存させ、擁護壁の意匠、景観を高めると共に、景観型枠と一体的にコンクリートを順次上部にむかって積層的に施工することのできる施工方法を提供し、もってコンクリート型枠を支える外部バタ材の組み付けや解体、並びにコンクリート型枠の除去作業を排除し、作業の簡略化とコストの低減化を図ることを主たる目的とするものである。
【０００５】
【課題を解決するための手段】
上記目的を達成するために、本発明では次のような技術的手段を講じた。即ち本発明に係る景観擁護壁造成方法にあっては、モルタル又はコンクリート製の外枠１ａと、該外枠１ａの背面に連結ボルト１ｃを介して固定された支持フレイム１ｂとから構成され、前記外枠１ａの外表面が岩肌形状等の意匠を施した景観型枠１を形成し、この景観型枠１を所定の角度で立設させて、該景観型枠１の外枠１ａから延びる連結ボルト１ｃの先端を建込みフレーム２の取り付け穴２ｄに挿通させてその露出端をナット部材２ｅで締結することにより、前記景観型枠１の背面を上下方向に延びる長尺の建込みフレーム２で連結保持し、前記ナット部材２ｅの先端側のネジ孔に支持レバー３のボルト３ｄを螺入して連結し、建込みフレーム２を支持レバー３でグランド面に保持させることにより景観型枠１を所定の角度で安定保持させ、この景観型枠１によって囲撓されたコンクリート施工空間(A)にコンクリートを流し込んだ後、先に立設させた景観型枠１の上部に次段の景観型枠１を継ぎ足して建込みフレーム２並びに支持レバー３で保持させ、前記同様に継ぎ足された景観型枠１によって囲撓されたコンクリート施工空間(A)にコンクリートを流し込むことにより景観型枠１…と一体的にコンクリートを打設し、順次上部にむかって積層的に施工することを特徴とするものである。
【０００６】
【発明の実施の形態】
前記景観型枠１は、モルタル又はコンクリート製の外枠１ａと、該外枠１ａの背面に固定された支持フレーム１ｂとから構成され、前記外枠１ａの外表面に岩肌形状等の意匠が施されているものが使用される。
【０００７】
前記建込みフレーム２は、その長さを調節できるように形成され、且つ上下端部に同じ建込みフレームを継ぎ足すことができるように連結用ボルト孔２ｃが設けられている。そして、配設に際して、その上端部を所定のコンクリート施工空間Ａの上面よりも上方に突出して配置され、この突出上端部に上部仮設フレーム２を連結するための前記ボルト孔２ｃが形成されている構造としてある。
【０００８】
また前記支持レバー３は、その長さを調整できるように形成され、基端部に固定用のアンカー３ｅが設けられている。この支持レバー３の長さを調整することにより組み付けられる景観型枠１の角度を任意に調整することができる。
【０００９】
【実施例】
以下図面に基づいて本発明の実施例を説明する。図１乃至図５において、符号１は本発明に使用される景観型枠であって、外表面に岩肌形状等の意匠が施されたモルタル製の外枠１ａの背面に、縦横の金属製の長尺材で組まれた支持フレーム１ｂが連結ボルト１ｃを介して連結して構成されている。
【００１０】
上記の景観型枠１を横に所要数並べた状態で図１に示すように所定の傾斜角で立設させ、その背面に上下方向に延びる長尺の金属製建込みフレーム２を連結すると同時に、該建込みフレーム２を支持レバー３でグランド面に保持させる。この際、支持レバー３の長さを調整することにより組み付けられる景観型枠１の角度を任意に設定することができる。
【００１１】
前記建込みフレーム２は、図４で詳しく示すように、アングル状又はチャンネル状の金属製型材によって形成された長尺の主支柱２ａと該主支柱２ａの下部に配置された短尺の補助支柱２ｂとが直線状に伸縮可能に組み合わされてボルト孔２ｆを介して固定できるように構成されており、前記主支柱２ａの上端部並びに補助支柱２ｂには同じ建込みフレーム２を継ぎ足すことができるように連結用ボルト孔２ｃ…が設けられている。そして、図１及び図２にみられるように、連結用ボルト孔２ｃ…を形成してある上端部分をコンクリート施工空間Ａの上面よりも上方に突出するように配置形成してあり、その上部に次段のフレーム２を継ぎ足し立設できるようにしてある。
【００１２】
又前記支持レバー３は、アングル状又はチャンネル状の金属製型材によって形成された長尺の主支柱３ａと短尺の補助支柱３ｂとをターンバックル３ｃを介して伸縮自在に直線状に連結して構成されており、補助支柱３ｂの先端に連結用のボルト３ｄが、下部支柱３ｃの下端に埋込み固定用のアンカー３ｅが設けられている。
【００１３】
前記景観型枠１の支持フレイム１ｂと建込みフレーム２並びに支持レバー３との連結手段はどのような方法でも良いが、本実施例では図５に示すように、景観型枠の外枠１ａから延びる連結ボルト１ｃの先端を建込みフレーム２の取り付け穴２ｄを挿通させてその露出端をナット部材２ｅで締結し、該ナット部材２ｅの反対側のネジ孔に支持レバー３のボルト３ｄを螺入して連結している。しかし上記の連結手段に代えて、景観型枠１の支持フレイム１ｂと建込みフレーム２、並びに建込みフレーム２と支持レバー３とを夫々個別に連結するようにして実施してもよい。
【００１４】
このようにして景観型枠１を立設組成したあと、図１に示すように景観型枠１…によって囲撓されたコンクリート施工空間Ａにコンクリートを流し込んで先ず第１段階のコンクリートを施工する。この場合、建込みフレーム２の補充支柱２ｂを延長させて建込みフレーム２の上端部分が景観型枠１より少し上方に突出するように設定しておく。
【００１５】
上記のようにして第１段階のコンクリートを打設した後、図２に示すように、先に立設させた景観型枠１…の上段に次段の景観型枠１…を継ぎ足す。この場合、第１段階のコンクリート施工空間Ａの上面から突出させてある建込みフレーム２の上端部分に形成してある取り付け穴２ｃを介してボルト等で次段の建込みフレーム２を延長方向に連結し、前記と同様な手段で支持レバー３により継ぎ足した景観型枠１を保持させる。支持レバー３のアンカー３ｅは先に流し込んだコンクリートが柔らかい間にその先端部を埋め込んでおく。このようにして形成された次段のコンクリート施工空間Ａにコンクリートを流し込むことによりコンクリートを第１段階から第２段階へと施工するものである。勿論、必要に応じて第２段階のコンクリートを施工後、同様な手段で第３段階或いは第４段階へと先に施工したコンクリートに積み重ねるように上方に向かって順次積層的にコンクリートを打設施工することができる。最上段の最終段階での型枠組成時には、建込みフレーム２の補助支柱２ｂを引き込んで同フレーム２の上端部を景観型枠１と略同じ高さにしておくことにより、コンクリート施工後にコンクリート面から建込みフレーム２の上端が突出することがないようにし、従って切断除去等の後処理を必要としないようにしておくことが好ましい。
【００１６】
このようにして造成された擁護壁では、景観型枠１は取り外すことなくそのまま擁護壁の傾斜表面材として残されて後処理を必要としない。また擁護壁の傾斜表面材となる景観型枠１は、その背面部で建込みフレーム２や支持レバー３により相互に連結され、且つ、硬化したコンクリート内部で固く結合されているため剥離脱落することはない。
【００１７】
以上本発明の代表的な実施例について説明したが、本発明は必ずしも上記実施例構造のみに限定されるものでない。例えば建込みフレーム２や支持レバー３の伸縮構造や支持レバー３のグランド面への固定は周知の汎用手段を用いて実施することができる。また、景観型枠の表面意匠は岩肌形状に限らずその他の形状であってもよい。その他本発明ではその構成要件を備え、且つ効果を有する範囲内で適宜変更して実施できることは勿論である。
【００１８】
【発明の効果】
以上詳述した如く本発明は、表面に岩肌形状等の意匠を持つ景観型枠を使用してコンクリート施工後に景観型枠をそのまま擁護壁の表面材として残存させ、擁護壁の意匠、景観を高めると共に、景観型枠と一体的にコンクリートを順次上段にむかって段階的に積層施工することのでき、殊にコンクリート施工時に使用した景観型枠をそのまま擁護壁の表面材として残存使用するものであるから煩雑な後処理を必要とせず、且つ外部バタ材の解体や型枠の除去作業を必要としないから、作業が簡略化されて工期の短縮とコストの低減化を図ることができる。加えて景観型枠はその背面部で建込みフレームや支持レバーにより相互に連結され且つ硬化したコンクリート内部で固く結合されているため剥離脱落することがないといった種々顕著な効果がある。
【図面の簡単な説明】
【図１】本発明に係る景観擁護壁造成方法の第１段階の型枠組成状態を示す側面図。
【図２】上記景観擁護壁造成方法の第２段階の型枠組成状態を示す側面図。
【図３】本発明に使用される景観型枠の背面図。
【図４】本発明に使用される建込みフレームの斜視図。
【図５】本発明における景観型枠と建込みフレーム並びに支持レバーとの連結手段の一例を示す拡大断面図。
【符号の説明】
１  景観型枠
１ａ  景観型枠の外枠
１ｂ  景観型枠の支持フレイム
２  建込みフレーム
２ａ  建込みフレームの主支柱
２ｂ  建込みフレームの補助支柱
２ｃ  連結用ボルト孔
３  支持レバー
３ｅ  支持レバーのアンカー
Ａ  施工空間
【図１】
0003640067.tif 000002
【図２】
0003640067.tif 000003
【図３】
0003640067.tif 000004
【図４】
0003640067.tif 000005
【図５】
0003640067.tif 000006